(57)【要約】  基地局ｅＮＢ１００は、３ＧＰＰ規格で規定されており、他の基地局の配下に存在する無線端末ＵＥから他の基地局に送信されるアップリンク信号を検出した場合に、検出されたアップリンク信号の周波数帯域に基づいて、基地局ｅＮＢ１００の配下に存在する無線端末ＵＥに割当てるべき周波数帯域を決定する制御部１４０を備える。少なくとも他の基地局において、ダウンリンク信号の周波数帯域は、アップリンク信号の周波数帯域と対応付けられている。
2012147198.tif 000002
【特許請求の範囲】
【請求項１】
３ＧＰＰ規格で規定される基地局であって、
他の基地局の配下に存在する無線端末から前記他の基地局に送信されるアップリンク信号を検出した場合に、検出されたアップリンク信号の周波数帯域に基づいて、前記基地局の配下に存在する無線端末に割当てるべき周波数帯域を決定する制御部を備えており、
少なくとも前記他の基地局において、ダウンリンク信号の周波数帯域は、前記アップリンク信号の周波数帯域と対応付けられていることを特徴とする基地局。
【請求項２】
前記ダウンリンク信号と前記アップリンク信号との対応付けは、予め定められていることを特徴とする請求項１に記載の基地局。
【請求項３】
前記ダウンリンク信号と前記アップリンク信号との対応付けを示す情報を前記他の基地局又は上位ネットワーク装置から取得する取得部をさらに備えることを特徴とする請求項１に記載の基地局。
【請求項４】
前記制御部は、前記他の基地局の配下に存在する無線端末が用いる周波数帯域を除外して、前記基地局の配下に存在する無線端末に割当てるべき周波数帯域を決定することを特徴とする請求項１に記載の基地局。
【請求項５】
前記制御部は、前記他の基地局の配下に存在する無線端末が用いる周波数帯域を前記基地局の配下に存在する無線端末に割当てるべき周波数帯域として決定する場合に、前記他の基地局の配下に存在する無線端末が用いる周波数帯域を用いて送信する信号の送信電力を低減することを特徴とする請求項１に記載の基地局。
【請求項６】
前記周波数帯域は、３ＧＰＰ規格で規定されるコンポーネントキャリアであることを特徴とする請求項１に記載の基地局。
【請求項７】
３ＧＰＰ規格で規定される基地局における通信制御方法であって、
他の基地局の配下に存在する無線端末から前記他の基地局に送信されるアップリンク信号を検出した場合に、検出されたアップリンク信号の周波数帯域に基づいて、前記基地局の配下に存在する無線端末に割当てるべき周波数帯域を決定するステップを有しており、
少なくとも前記他の基地局において、ダウンリンク信号の周波数帯域は、前記アップリンク信号の周波数帯域と対応付けられていることを特徴とする通信制御方法。
【発明の詳細な説明】
【技術分野】
【０００１】
本発明は、キャリアアグリゲーション技術をサポートする移動通信システムに適用される基地局及び通信制御方法に関する。
【背景技術】
【０００２】
高速・大容量の通信を実現する次世代移動通信システムとして、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（Ｌｏｎｇ  Ｔｅｒｍ  Ｅｖｏｌｕｔｉｏｎ）を高度化したＬＴＥ  Ａｄｖａｎｃｅｄの標準化が進められている。【０００３】
ＬＴＥ  Ａｄｖａｎｃｅｄは、ＬＴＥとの後方互換性を確保しながら広帯域化を実現するために、ＬＴＥのキャリア（周波数帯域）をコンポーネントキャリアと位置付け、複数のコンポーネントキャリアをまとめて使用して無線通信を行うキャリアアグリゲーション技術が導入される（例えば非特許文献１参照）。
【先行技術文献】
【非特許文献】
【０００４】
【非特許文献１】３ＧＰＰ技術仕様  ＴＳ  ３６．３００  Ｖ１０．３．０、「５．５  Ｃａｒｒｉｅｒ  Ａｇｇｒｅｇａｔｉｏｎ」
【発明の概要】
【発明が解決しようとする課題】
【０００５】
ところで、ＬＴＥ  Ａｄｖａｎｃｅｄにおいては、上述したキャリアアグリゲーション技術を用いて干渉を低減する検討が種々行われている。【０００６】
そこで、本発明は、３ＧＰＰ規格で規定されるキャリアアグリゲーション技術をサポートする移動通信システムにおいて、干渉を低減することを可能とする基地局及び通信制御方法を提供することを目的とする。
【課題を解決するための手段】
【０００７】
第１の特徴に係る基地局は、３ＧＰＰ規格で規定されており、他の基地局の配下に存在する無線端末から前記他の基地局に送信されるアップリンク信号を検出した場合に、検出されたアップリンク信号の周波数帯域に基づいて、前記基地局の配下に存在する無線端末に割当てるべき周波数帯域を決定する制御部を備える。少なくとも前記他の基地局において、ダウンリンク信号の周波数帯域は、前記アップリンク信号の周波数帯域と対応付けられている。【０００８】
第１の特徴において、前記ダウンリンク信号と前記アップリンク信号との対応付けは、予め定められている。【０００９】
第１の特徴において、基地局は、前記ダウンリンク信号と前記アップリンク信号との対応付けを示す情報を前記他の基地局又は上位ネットワーク装置から取得する取得部をさらに備える。【００１０】
第１の特徴において、前記制御部は、前記他の基地局の配下に存在する無線端末が用いる周波数帯域を除外して、前記基地局の配下に存在する無線端末に割当てるべき周波数帯域を決定する。【００１１】
第１の特徴において、前記制御部は、前記他の基地局の配下に存在する無線端末が用いる周波数帯域を前記基地局の配下に存在する無線端末に割当てるべき周波数帯域として決定する場合に、前記他の基地局の配下に存在する無線端末が用いる周波数帯域を用いて送信する信号の送信電力を低減する。【００１２】
第１の特徴において、前記周波数帯域は、３ＧＰＰ規格で規定されるコンポーネントキャリアである。【００１３】
第２の特徴に係る通信制御方法は、３ＧＰＰ規格で規定される基地局に適用される。通信制御方法は、他の基地局の配下に存在する無線端末から前記他の基地局に送信されるアップリンク信号を検出した場合に、検出されたアップリンク信号の周波数帯域に基づいて、前記基地局の配下に存在する無線端末に割当てるべき周波数帯域を決定するステップを有する。少なくとも前記他の基地局において、ダウンリンク信号の周波数帯域は、前記アップリンク信号の周波数帯域と対応付けられている。
【図面の簡単な説明】
【００１４】
【図１】図１は、第１実施形態に係る移動通信システム１を示す図である。
【図２】図２は、第１実施形態に係るコンポーネントキャリアを示す図である。
【図３】図３は、第１実施形態に係る基地局ｅＮＢ１００を示す図である。
【図４】図４は、第１実施形態に係る通信制御方法を示す図である。
【発明を実施するための形態】
【００１５】
以下において、本発明の実施形態に係る移動通信システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る基地局は、３ＧＰＰ規格で規定されており、他の基地局の配下に存在する無線端末から前記他の基地局に送信されるアップリンク信号を検出した場合に、検出されたアップリンク信号の周波数帯域に基づいて、前記基地局の配下に存在する無線端末に割当てるべき周波数帯域を決定する制御部を備える。少なくとも前記他の基地局において、ダウンリンク信号の周波数帯域は、前記アップリンク信号の周波数帯域と対応付けられている。
【００１８】
制御部は、他の基地局の配下に存在する無線端末から送信されるアップリンク信号の周波数帯域に基づいて、基地局の配下に存在する無線端末に割当てるべき周波数帯域を決定する。従って、他の基地局からの干渉、他の基地局に対する干渉を抑制することができる。
【００１９】
なお、基地局の配下に存在する無線端末に割当てるべき周波数帯域は、アップリンク信号の周波数帯域であってもよく、ダウンリンク信号の周波数帯域であってもよい。
【００２０】
また、周波数帯域は、例えば、３ＧＰＰ規格に規定するコンポーネントキャリアである。言い換えると、コンポーネントキャリアは、例えば、１つのセルで用いられる周波数帯域である。
【００２１】
［第１実施形態］
（移動通信システム）
以下において、第１実施形態に係る移動通信システムについて説明する。図１は、第１実施形態に係る移動通信システム１を示す図である。第１実施形態では、移動通信システム１は、ＬＴＥ  Ａｄｖａｎｃｅｄ（３ＧＰＰリリース１０以降）に基づいて構成される。
【００２２】
図１に示すように、移動通信システム１は、無線アクセスネットワークであるＥ−ＵＴＲＡＮ１０（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を有する。Ｅ−ＵＴＲＡＮ１０は、ヘテロジーニアスネットワークとして構成されており、送信電力（すなわち、サービスエリア範囲）の異なる複数種類の基地局によって構成される。
【００２３】
第１実施形態では、Ｅ−ＵＴＲＡＮ１０は、大型のセル（マクロセル）を形成するマクロ基地局ＭｅＮＢと、小型のセル（フェムトセル）を形成する２つのフェムト基地局ＨｅＮＢ（フェムト基地局ＨｅＮＢ＃１及びフェムト基地局ＨｅＮＢ＃２）とを含む。
【００２４】
フェムト基地局ＨｅＮＢ＃１及びフェムト基地局ＨｅＮＢ＃２は、例えば、マクロ基地局ＭｅＮＢのサービスエリア範囲内であって、高トラフィック地帯（いわゆる、ホットゾーン）に配置される。なお、マクロ基地局ＭｅＮＢのサービスエリア範囲内に配置されるフェムト基地局ＨｅＮＢの数は、２つに限らず、１つであってもよく、３つ以上であってもよい。なお、マクロ基地局ＭｅＮＢのサービスエリア範囲内にフェムト基地局ＨｅＮＢが配置されない状況もありうる。
【００２５】
マクロ基地局ＭｅＮＢのサービスエリア範囲は、マクロ基地局ＭｅＮＢが形成する１以上のセルによってカバーされる。同様に、フェムト基地局ＨｅＮＢ＃１のサービスエリア範囲は、フェムト基地局ＨｅＮＢ＃１が形成する１以上のセルによってカバーされ、フェムト基地局ＨｅＮＢ＃２のサービスエリア範囲は、フェムト基地局ＨｅＮＢ＃２が形成する１以上のセルによってカバーされる。
【００２６】
ここで、セルとは、無線通信エリアの最小単位である。但し、セルは、各基地局に設けられており、無線端末ＵＥと無線通信を行う機能と考えてもよい。
【００２７】
マクロ基地局ＭｅＮＢ、フェムト基地局ＨｅＮＢ＃１及びフェムト基地局ＨｅＮＢ＃２のそれぞれは、キャリアアグリゲーション技術をサポートする。キャリアアグリゲーション技術は、複数のコンポーネントキャリアをまとめて使用して無線通信を行う技術である。第１実施形態では、コンポーネントキャリアは、例えば、１つのセルで用いられる周波数帯域である。
【００２８】
マクロ基地局ＭｅＮＢ、フェムト基地局ＨｅＮＢ＃１及びフェムト基地局ＨｅＮＢ＃２は、１又は複数の無線端末ＵＥと無線通信を行う。なお、マクロ基地局ＭｅＮＢ、フェムト基地局ＨｅＮＢ＃１及びフェムト基地局ＨｅＮＢ＃２が、無線端末ＵＥと無線通信を行わない状況もありうる。第１実施形態では、基地局と無線通信を行う無線端末ＵＥは、基地局の配下に存在すると称することもある。
【００２９】
なお、キャリアアグリゲーション技術をサポートする無線端末ＵＥは、複数のコンポーネントキャリアをまとめて無線通信に使用できる。
【００３０】
第１実施形態に係る移動通信システム１においては、複数の基地局を互いに接続するためのＸ２インターフェイスが設定される。第１実施形態では、マクロ基地局ＭｅＮＢとフェムト基地局ＨｅＮＢ＃１との間にＸ２インターフェイスが設定されており、マクロ基地局ＭｅＮＢとフェムト基地局ＨｅＮＢ＃２との間にＸ２インターフェイスが設定されており、フェムト基地局ＨｅＮＢ＃１とフェムト基地局ＨｅＮＢ＃２との間にＸ２インターフェイスが設定される。
【００３１】
但し、マクロ基地局ＭｅＮＢとフェムト基地局ＨｅＮＢとの間には、Ｘ２インターフェイスが設定されていなくてもよい。
【００３２】
さらに、移動通信システム１は、移動管理装置ＭＭＥ／ゲートウェイ装置Ｓ−ＧＷと保守監視装置ＯＡＭとを有する。移動管理装置ＭＭＥは、無線端末ＵＥに対する各種モビリティ制御を行うように構成される。ゲートウェイ装置Ｓ−ＧＷは、無線端末ＵＥが送受信するユーザデータの転送制御を行うように構成される。保守監視装置ＯＡＭは、Ｅ−ＵＴＲＡＮ１０の保守及び監視を行うように構成される。各基地局とＥＰＣ（Ｅｖｏｌｖｅｄ  Ｐａｃｋｅｔ  Ｃｏｒｅ）との間には、各基地局とＥＰＣとを接続するＳ１インターフェイスが設定される。なお、ＥＰＣには、移動管理装置ＭＭＥ、ゲートウェイ装置Ｓ−ＧＷ及び保守監視装置ＯＡＭなどが設けられる。
【００３３】
（コンポーネントキャリア）
以下において、第１実施形態に係るコンポーネントキャリアについて説明する。図２は、第１実施形態に係るコンポーネントキャリアを示す図である。
【００３４】
図２に示すように、各基地局は、複数のコンポーネントキャリアを用いて無線通信を行う。ここでは、各基地局が４つのコンポーネントキャリアを用いて無線通信を行うケースを例示する。しかしながら、各基地局が用いるコンポーネントキャリアの数は、４つに限定されるものでないことは勿論である。
【００３５】
また、周波数軸方向において、複数のコンポーネントキャリアが連続するケースについて例示する。しかしながら、周波数軸方向において、複数のコンポーネントキャリアが分散していてもよい。例えば、複数のコンポーネントキャリアは、８００ＭＨｚ帯及び１．５ＧＨｚ帯に分散していてもよい。
【００３６】
図２に示すように、マクロ基地局ＭｅＮＢ、フェムト基地局ＨｅＮＢ＃１及びフェムト基地局ＨｅＮＢ＃２のそれぞれは、４つのコンポーネントキャリア（ＣＣ＃１〜ＣＣ＃４）を使用可能である。各コンポーネントキャリアは、例えば、LTEの１つのセルで用いられる周波数帯域である。各コンポーネントキャリアは、周波数軸方向に沿って設けられる複数のリソースブロック（ＲＢ）によって構成される。リソースブロックは、無線端末ＵＥに割当て可能な無線リソースの単位である。
【００３７】
なお、図２では、ダウンリンク信号のコンポーネントキャリアが例示されている。図２に示すように、フェムト基地局ＨｅＮＢ＃１及びフェムト基地局ＨｅＮＢ＃２の送信電力は、マクロ基地局ＭｅＮＢの送信電力よりも小さい。
【００３８】
なお、アップリンク信号のコンポーネントキャリアについても、図２に示すダウンリンク信号のコンポーネントキャリアと同様である。第１実施形態において、ダウンリンク信号のコンポーネントキャリアは、アップリンク信号のコンポーネントキャリアと対応付けられる。
【００３９】
（基地局）
以下において、第１実施形態に係る基地局について説明する。図３は、第１実施形態に係る基地局ｅＮＢ１００を示すブロック図である。基地局ｅＮＢ１００は、フェムト基地局ＨｅＮＢであってもよく、マクロ基地局ＭｅＮＢであってもよい。
【００４０】
図３に示すように、基地局ｅＮＢ１００は、無線通信部１１０と、ネットワーク通信部１２０と、記憶部１３０と、制御部１４０とを有する。
【００４１】
無線通信部１１０は、無線端末ＵＥと無線通信を行う。詳細には、無線通信部１１０は、キャリアアグリゲーション技術を用いる場合には、複数のコンポーネントキャリアを同時に使用して無線通信を行う。
【００４２】
なお、無線通信部１１０は、例えば、無線周波数（ＲＦ）回路、ベースバンド（ＢＢ）回路、変調／符号回路などによって構成される。無線通信部１１０は、アンテナ（不図示）を介して、アップリンク信号を受信する。また、無線通信部１１０は、アンテナ（不図示）を介して、ダウンリンク信号を送信する。
【００４３】
ネットワーク通信部１２０は、他のネットワーク装置と通信を行う。例えば、ネットワーク通信部１２０は、Ｘ２インターフェイスを介して、他の基地局と基地局間通信を行う。或いは、ネットワーク通信部１２０は、Ｓ１インターフェイスを介して、ＥＰＣと通信を行う。
【００４４】
記憶部１３０は、基地局ｅＮＢ１００の制御に用いる情報を記憶する。例えば、記憶部１３０は、基地局ｅＮＢ１００を識別する識別情報（基地局ＩＤ）、基地局ｅＮＢ１００が有するセルを識別する識別情報（例えば、セルＩＤ）などを記憶する。
【００４５】
第１実施形態において、記憶部１３０は、他の基地局で用いるダウンリンク信号のコンポーネントキャリア（周波数帯域）と他の基地局で用いるアップリンク信号のコンポーネントキャリア（周波数帯域）とを対応付ける情報（ＤＬ／ＵＬ  ＣＣ  ｃｏｒｒｅｓｐｏｎｄｅｎｃｅ  ｔａｂｌｅ）と、当該対応付けにおいてアップリンク信号のコンポーネントキャリア及びダウンリンク信号のコンポーネントキャリアの使用状態を示す情報（ＣＣ  ｕｓａｇｅ  ｔａｂｌｅ）とを記憶する（“ＤＬ／ＵＬ  ＣＣ  ｃｏｒｒｅｓｐｏｎｄｅｎｃｅ  ｔａｂｌｅ”及び“ＣＣ  ｕｓａｇｅ  ｔａｂｌｅ”の一例については図４を参照）。
【００４６】
なお、ダウンリンク信号のコンポーネントキャリアとアップリンク信号のコンポーネントキャリアとの対応付けは、予め定められていてもよい。或いは、ダウンリンク信号のコンポーネントキャリアとアップリンク信号のコンポーネントキャリアとの対応付けを示す情報は、他の基地局からＸ２インターフェイスを介して取得されてもよい。
【００４７】
制御部１４０は、基地局ｅＮＢ１００に設けられる構成を制御する。例えば、制御部１４０は、基地局ｅＮＢ１００の配下に存在する無線端末ＵＥにコンポーネントキャリアを割当てる。なお、制御部１４０は、キャリアアグリゲーション技術を用いる場合には、複数のコンポーネントキャリアを無線端末ＵＥに割当てる。
【００４８】
第１実施形態において、制御部１４０は、他の基地局の配下に存在する無線端末ＵＥから他の基地局に送信されるアップリンク信号のコンポーネントキャリアを検出する。制御部１４０は、検出されたアップリンク信号のコンポーネントキャリアに基づいて、基地局ｅＮＢ１００の配下に存在する無線端末ＵＥに割当てるコンポーネントキャリア（以下、割当てコンポーネントキャリア）を決定する。制御部１４０は、決定された割当てコンポーネントキャリアを無線端末ＵＥに割当てて、割当てコンポーネントキャリアを用いて無線端末ＵＥと無線通信を行う。
【００４９】
詳細には、制御部１４０は、記憶部１３０に記憶されたＤＬ／ＵＬ  ＣＣ  ｃｏｒｒｅｓｐｏｎｄｅｎｃｅ  ｔａｂｌｅを用いて、検出されたアップリンク信号のコンポーネントキャリアに対応付けられたダウンリンク信号のコンポーネントキャリアを特定する。
【００５０】
制御部１４０は、検出されたアップリンク信号のコンポーネントキャリアと、ＤＬ／ＵＬ  ＣＣ  ｃｏｒｒｅｓｐｏｎｄｅｎｃｅ  ｔａｂｌｅにより特定された、前記検出されたアップリンク信号のコンポーネントキャリアに対応付けられたダウンリンク信号のコンポーネントキャリアとを示す情報をＣＣ  ｕｓａｇｅ  ｔａｂｌｅに記憶する。制御部１４０は、他の基地局の配下に存在する無線端末ＵＥから他の基地局に送信されるアップリンク信号のコンポーネントキャリアを検出する度に、ＣＣ  ｕｓａｇｅ  ｔａｂｌｅへの記憶処理を実行し、ＣＣ  ｕｓａｇｅ  ｔａｂｌｅを更新する。
【００５１】
制御部１４０は、ＣＣ  ｕｓａｇｅ  ｔａｂｌｅにおいて、他の基地局の配下に存在する無線端末ＵＥが使用するコンポーネントキャリアに対応するコンポーネントキャリアについては“ｕｓｅｄ”を示す情報を対応付けて記憶し、それ以外のコンポーネントキャリアについては“free”を示す情報を対応付けて記憶する。
【００５２】
制御部１４０は、ＣＣ  ｕｓａｇｅ  ｔａｂｌｅを用いて、検出されたアップリンク信号のコンポーネントキャリア（例えば、図４に示す“ＣＣ  ｕｓａｇｅ  ｔａｂｌｅ”のＣＣ♯Ｕ１及びＣＣ♯Ｕ２）を除外して、アップリンク信号の割当てコンポーネントキャリア（例えば、図４に示す“ＣＣ  ｕｓａｇｅ  ｔａｂｌｅ”のＣＣ♯Ｕ３及びＣＣ♯Ｕ４）を決定する。或いは、制御部１４０は、検出されたアップリンク信号のコンポーネントキャリア（例えば、図４に示す“ＣＣ  ｕｓａｇｅ  ｔａｂｌｅ”のＣＣ♯Ｕ１及びＣＣ♯Ｕ２）と対応付けられたダウンリンク信号のコンポーネントキャリア（例えば、図４に示す“ＣＣ  ｕｓａｇｅ  ｔａｂｌｅ”のＣＣ♯Ｄ１及びＣＣ♯Ｄ２）を除外して、ダウンリンク信号の割当てコンポーネントキャリア（例えば、図４に示す“ＣＣ  ｕｓａｇｅ  ｔａｂｌｅ”のＣＣ♯Ｄ３及びＣＣ♯Ｄ４）を決定する。すなわち、制御部１４０は、他の基地局の配下に存在する無線端末ＵＥが用いるコンポーネントキャリアを除外して、割当てコンポーネントキャリアを決定する。
【００５３】
第１実施形態は、干渉抑制を目的としている。従って、他の基地局は、基地局ｅＮＢ１００のサービスエリア範囲と重複するサービスエリア範囲を有する基地局であることが好ましい。或いは、他の基地局は、基地局ｅＮＢ１００のサービスエリア範囲と隣接するサービスエリア範囲を有する基地局であることが好ましい。
【００５４】
また、第１実施形態は、フェムト基地局ＨｅＮＢがユーザによって任意に設置されるケースにも適用可能である。このようなケースでは、基地局ｅＮＢ１００がフェムト基地局ＨｅＮＢ＃１である場合には、他の基地局は、フェムト基地局ＨｅＮＢ＃２である。但し、他の基地局は、マクロ基地局ＭｅＮＢであってもよい。
【００５５】
（通信制御方法）
以下において、第１実施形態に係る通信制御方法について説明する。図４は、第１実施形態に係る通信制御方法を示す図である。図４では、基地局ｅＮＢ１００がフェムト基地局ＨｅＮＢ＃１であり、他の基地局がフェムト基地局ＨｅＮＢ＃２であるケースについて例示する。
【００５６】
ここで、フェムト基地局ＨｅＮＢ＃２は、無線端末ＵＥ＃２と無線通信を行っている。このようなケースにおいて、無線端末ＵＥ＃１が用いるコンポーネントキャリアをフェムト基地局ＨｅＮＢ＃１が割当てるケースについて説明する。
【００５７】
図４に示すように、ステップ１０において、フェムト基地局ＨｅＮＢ＃１は、フェムト基地局ＨｅＮＢ＃２で用いるダウンリンク信号のコンポーネントキャリア（周波数帯域）とフェムト基地局ＨｅＮＢ＃２で用いるアップリンク信号のコンポーネントキャリア（周波数帯域）とを対応付ける情報（ＤＬ／ＵＬ  ＣＣ  ｃｏｒｒｅｓｐｏｎｄｅｎｃｅ  ｔａｂｌｅ）を記憶している。
【００５８】
なお、ダウンリンク信号のコンポーネントキャリアとアップリンク信号のコンポーネントキャリアとの対応付けは、予め定められていてもよい。或いは、ダウンリンク信号のコンポーネントキャリアとアップリンク信号のコンポーネントキャリアとの対応付けを示す情報は、フェムト基地局ＨｅＮＢ＃２からＸ２インターフェイスを介して取得されてもよい。
【００５９】
ステップ２０において、フェムト基地局ＨｅＮＢ＃１は、無線端末ＵＥ＃２からフェムト基地局ＨｅＮＢ＃２に送信されるアップリンク信号のコンポーネントキャリアを検出する。
【００６０】
ステップ３０において、フェムト基地局ＨｅＮＢ＃１は、検出されたアップリンク信号のコンポーネントキャリアに基づいて、フェムト基地局ＨｅＮＢ＃２から無線端末ＵＥ＃２に送信されるダウンリンク信号のコンポーネントキャリアを特定する。すなわち、フェムト基地局ＨｅＮＢ＃１は、ステップ１０で記憶されている情報を用いて、検出されたアップリンク信号のコンポーネントキャリアに対応付けられるダウンリンク信号のコンポーネントキャリアを特定する。
【００６１】
ステップ４０において、フェムト基地局ＨｅＮＢ＃１は、無線端末ＵＥ＃１に割当てるコンポーネントキャリア（以下、割当てコンポーネントキャリア）を決定して、決定された割当てコンポーネントキャリアを無線端末ＵＥに割当てて、割当てコンポーネントキャリアを用いて無線端末ＵＥ＃１と無線通信を行う。
【００６２】
例えば、フェムト基地局ＨｅＮＢ＃１は、検出されたアップリンク信号のコンポーネントキャリアを除外して、アップリンク信号の割当てコンポーネントキャリアを決定する。或いは、フェムト基地局ＨｅＮＢ＃１は、検出されたアップリンク信号のコンポーネントキャリアと対応付けられたダウンリンク信号のコンポーネントキャリアを除外して、ダウンリンク信号の割当てコンポーネントキャリアを決定する。すなわち、フェムト基地局ＨｅＮＢ＃１は、無線端末ＵＥ＃２が用いるコンポーネントキャリアを除外して、割当てコンポーネントキャリアを決定する。
【００６３】
（作用及び効果）
第１実施形態では、基地局ｅＮＢ１００は、他の基地局の配下に存在する無線端末ＵＥから送信されるアップリンク信号のコンポーネントキャリアに基づいて、基地局ｅＮＢ１００の配下に存在する無線端末ＵＥに割当てるべきコンポーネントキャリア（以下、割当てコンポーネントキャリア）を決定する。従って、他の基地局からの干渉、他の基地局に対する干渉を抑制することができる。
【００６４】
詳細には、基地局ｅＮＢ１００は、他の基地局の配下に存在する無線端末ＵＥから送信されるアップリンク信号のコンポーネントキャリアを除外して、アップリンク信号の割当てコンポーネントキャリアを決定する。これによって、基地局ｅＮＢ１００の配下に存在する無線端末ＵＥから他の基地局に対する干渉が軽減される。さらに、他の基地局の配下に存在する無線端末ＵＥから基地局ｅＮＢ１００に対する干渉も低減する。
【００６５】
また、基地局ｅＮＢ１００は、他の基地局の配下に存在する無線端末ＵＥから送信されるアップリンク信号のコンポーネントキャリアに対応付けられるダウンリンク信号のコンポーネントキャリアを除外して、ダウンリンク信号の割当てコンポーネントキャリアを決定する。これによって、他の基地局から基地局ｅＮＢ１００の配下に存在する無線端末ＵＥに対する干渉が軽減される。さらに、基地局ｅＮＢ１００から他の基地局の配下に存在する無線端末ＵＥに対する干渉も軽減される。
【００６６】
第１実施形態において、基地局ｅＮＢ１００は、他の基地局から送信されるダウンリンク信号のコンポーネントキャリアを検出する必要がない。従って、ＦＤＤ（Ｆｒｅｑｕｅｎｃｙ  ｄｉｖｉｓｉｏｎ  ｄｕｐｌｅｘ）方式の通信システムにおいても、ダウンリンク信号のコンポーネントキャリアを検出するための構成（新たな構成）を必要とせずに、干渉を抑制することができる。なお、アップリンク信号のコンポーネントキャリアを検出する機能は、従来の基地局が有している機能であることに留意すべきである。
【００６７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６８】
実施形態では特に触れていないが、基地局ｅＮＢ１００は、電源が投入された際に、他の基地局の配下に存在する無線端末ＵＥから送信されるアップリンク信号のコンポーネントキャリアを検出してもよい。或いは、基地局ｅＮＢ１００は、無線端末ＵＥにコンポーネントキャリアを割当てる際に、他の基地局の配下に存在する無線端末ＵＥから送信されるアップリンク信号のコンポーネントキャリアを検出してもよい。
【００６９】
実施形態では、基地局ｅＮＢ１００がフェムト基地局ＨｅＮＢ＃１であり、他の基地局がフェムト基地局ＨｅＮＢ＃２であるケースについて主として例示した。しかしながら、実施形態は、これに限定されるものではない。例えば、基地局ｅＮＢ１００がマクロ基地局ＭｅＮＢであり、他の基地局がマクロ基地局ＭｅＮＢであってもよい。或いは、基地局ｅＮＢ１００がフェムト基地局ＨｅＮＢ（或いは、マクロ基地局ＭｅＮＢ）であり、他の基地局がマクロ基地局ＭｅＮＢ（或いは、フェムト基地局ＨｅＮＢ）であってもよい。或いは、フェムト基地局ＨｅＮＢは、通信事業者によって設置されるピコ基地局ＰｅＮＢと読み替えてもよい。或いは、基地局ｅＮＢ１００がフェムト基地局ＨｅＮＢ（或いは、ピコ基地局ＰｅＮＢ）であり、他の基地局がピコ基地局ＰｅＮＢ（或いは、フェムト基地局ＨｅＮＢ）であってもよい。
【００７０】
実施形態では、ダウンリンク信号のコンポーネントキャリアは、アップリンク信号のコンポーネントキャリアと対応付けられる。しかしながら、ダウンリンク信号のコンポーネントキャリアは、少なくとも他の基地局において、アップリンク信号のコンポーネントキャリアと対応付けられていればよい。
【００７１】
実施形態では特に触れていないが、ダウンリンク信号のコンポーネントキャリアとアップリンク信号のコンポーネントキャリアとの対応付けは、少なくとも他の基地局に対して保守監視装置ＯＡＭが指定してもよい。このようなケースでは、基地局ｅＮＢ１００は、Ｓ１インターフェイスを介して、ダウンリンク信号のコンポーネントキャリアとアップリンク信号のコンポーネントキャリアとの対応付けを示す情報を保守監視装置ＯＡＭから取得する。つまり、基地局ｅＮＢ１００は、Ｓ１インターフェイスを介して、ダウンリンク信号のコンポーネントキャリアとアップリンク信号のコンポーネントキャリアとの対応付けを示す情報を上位ネットワーク装置から取得する。
【００７２】
実施形態では特に触れていないが、ダウンリンク信号のコンポーネントキャリアの数とアップリンク信号のコンポーネントキャリアの数とが異なった状態で、ダウンリンク信号のコンポーネントキャリアとアップリンク信号のコンポーネントキャリアとが対応付けられてもよい。
【００７３】
実施形態では、基地局ｅＮＢ１００（制御部１４０）は、他の基地局の配下に存在する無線端末ＵＥが用いるコンポーネントキャリアを除外して、割当てコンポーネントキャリアを決定する。しかしながら、実施形態は、これに限定されるものではない。
【００７４】
詳細には、基地局ｅＮＢ１００（制御部１４０）は、検出されたアップリンク信号のコンポーネントキャリア（例えば、図４に示す“ＣＣ  ｕｓａｇｅ  ｔａｂｌｅ”のＣＣ♯Ｕ１及びＣＣ♯Ｕ２）を基地局ｅＮＢ１００の配下に存在する無線端末ＵＥに割当てるべきコンポーネントキャリアとして決定する場合に、検出されたアップリンク信号のコンポーネントキャリアを用いて送信するアップリンク信号の送信電力が所定値よりも低くなるようにアップリンク信号の送信電力を制御する（この制御を、以下、「アップリンク信号の送信電力制御」と称する）。例えば、基地局ｅＮＢ１００（制御部１４０）は、ＴＰＣビットなどを用いる閉ループ送信電力制御などを用いてアップリンク信号の送信電力を制御する。
【００７５】
或いは、基地局ｅＮＢ１００（制御部１４０）は、検出されたアップリンク信号のコンポーネントキャリア（例えば、図４に示す“ＣＣ  ｕｓａｇｅ  ｔａｂｌｅ”のＣＣ♯Ｕ１及びＣＣ♯Ｕ２）と対応付けられたダウンリンク信号のコンポーネントキャリア（例えば、図４に示す“ＣＣ  ｕｓａｇｅ  ｔａｂｌｅ”のＣＣ♯Ｄ１及びＣＣ♯Ｄ２）を基地局ｅＮＢ１００の配下に存在する無線端末ＵＥに割当てるべきコンポーネントキャリアとして決定する場合に、検出されたアップリンク信号のコンポーネントキャリアと対応付けられたダウンリンク信号のコンポーネントキャリアを用いて送信するダウンリンク信号の送信電力が所定値よりも低くなるようにダウンリンク信号の送信電力を制御する（この制御を、以下、「ダウンリンク信号の送信電力制御」と称する）。
【００７６】
すなわち、基地局ｅＮＢ１００（制御部１４０）は、他の基地局の配下に存在する無線端末ＵＥが用いるコンポーネントキャリアを基地局ｅＮＢ１００の配下に存在する無線端末ＵＥに割当てるべきコンポーネントキャリアとして決定する場合に、他の基地局の配下に存在する無線端末ＵＥが用いるコンポーネントキャリアを用いて送信する信号の送信電力を低減する。
【００７７】
なお、所定値は、例えば、他の基地局の配下に存在する無線端末ＵＥが用いていないコンポーネントキャリアを用いて送信される信号の送信電力値である。また、所定値は、予め定められた値であってもよい。
【００７８】
なお、基地局ｅＮＢ１００（制御部１４０）は、他の基地局の配下に存在する無線端末ＵＥから前記他の基地局に送信されるアップリンク信号を検出した場合に、前記アップリンク信号の送信電力制御と前記ダウンリンク信号の送信電力制御とを実行することが好ましいが、他の基地局におけるコンポーネントキャリアの送信電力に基づいて、前記アップリンク信号の送信電力制御と前記ダウンリンク信号の送信電力制御とを実行しないこととしてもよい。つまり、基地局ｅＮＢ１００（制御部１４０）は、他の基地局の配下に存在する無線端末ＵＥが用いるコンポーネントキャリアを割り当てることも可能である。
【産業上の利用可能性】
【００７９】
本発明によれば、３ＧＰＰ規格で規定されるキャリアアグリゲーション技術をサポートする移動通信システムにおいて、適切なコンポーネントチャネルの組み合わせを選択することを可能とする基地局及び通信制御方法を提供することができる。
【図１】
2012147198.tif 000003
【図２】
2012147198.tif 000004
【図３】
2012147198.tif 000005
【図４】
2012147198.tif 000006
【国際調査報告】
2012147198.tif 000007
2012147198.tif 000008
2012147198.tif 000009